(57)【要約】【課題】表面欠陥の比較的多い木材を有効活用した集成材、この集成材の製造方法、およびこの集成材を用いた家具を提供する。【解決手段】複数個の長尺状木片２からなり隣り合う長尺状木片２同士が接着されている集成材１であって、各長尺状木片２は、欠陥を有しない側面又は各長尺状木片における最も欠陥が少ない側面240が略同一平面上に揃って集成材１の表面11を構成するように配置されており、集成材１の裏面には、隠蔽性のある塗膜３が形成されている、集成材１とした。ここで、集成材１を構成する複数個の長尺状木片２の全部又は一部が、集成材１の表面を構成する側面以外の面に欠陥29を有する構成とすることが好ましい。【選択図】図１
2017087515.tif 000002
【特許請求の範囲】
【請求項１】
複数個の長尺状木片からなり隣り合う長尺状木片同士が接着されている集成材であって、
各長尺状木片は、欠陥を有しない側面又は各長尺状木片における最も欠陥が少ない側面が略同一平面上に揃って集成材の表面を構成するように配置されており、
集成材の裏面には、隠蔽性のある塗膜が形成されている、
集成材。
【請求項２】
集成材を構成する複数個の長尺状木片の全部又は一部が、集成材の表面を構成する側面以外の面に欠陥を有する、
請求項１記載の集成材。
【請求項３】
集成材を構成する複数個の長尺状木片の全部が、集成材の表面を構成する側面以外の面に欠陥を有する、
請求項１又は２に記載の集成材。
【請求項４】
表面以外の全ての面に隠蔽性のある塗膜が形成されている
請求項１〜３いずれかに記載の集成材。
【請求項５】
塗膜が機能性を有するものである、
請求項１〜４いずれかに記載の集成材。
【請求項６】
複数個の長尺状木片は、長手方向に沿って柾目が現れた柾目側面を有しており、
各長尺状木片は、欠陥を有しない柾目側面又は各長尺状木片における最も欠陥が少ない柾目側面が略同一平面上に揃って集成材の表面を構成するように配置されている、
請求項１〜５いずれかに記載の集成材。
【請求項７】
複数個の長尺状木片を準備する、木片準備工程と、
この木片準備工程で準備された前記複数個の長尺状木片を、欠陥を有しない側面又は各長尺状木片における最も欠陥が少ない側面が略同一平面上に揃うように並べて表面を構成し、隣り合う長尺状木片同士を接着して連続木片を得る、接着工程と、
この接着工程で得られた連続木片を加工して加工済み連続木片を得る、加工工程と、
この加工工程で得られた加工済み連続木片の表面以外の面を隠蔽性のある塗料で塗装する、塗装工程と、を有する
集成材の製造方法。
【請求項８】
木片準備工程では、長手方向に沿って柾目が現れた一対の柾目側面を有する複数個の長尺状木片を準備し、
接着工程では、前記木片準備工程で得られた前記複数個の長尺状木片を、欠陥を有しない柾目側面又は各長尺状木片における欠陥が少ない方の柾目側面が略同一平面上に揃うように並べて表面を構成し、隣り合う長尺状木片同士を接着して集成材を得る、
請求項７記載の集成材の製造方法。
【請求項９】
請求項１〜６いずれか記載の集成材を用いてなる家具。
【発明の詳細な説明】
【技術分野】
【０００１】
本発明は集成材、集成材の製造方法、および家具に関する。
【背景技術】
【０００２】
近年、住宅や家具などに用いる木材について国産材への関心が高まっている。しかし、表面欠陥の少ない上質な国産材は需要が高いため品薄となっており、同様の状態は今後も続くと予想される。
【０００３】
また、板材に関して、丸太から柱を製材する際に四方に生じる端材を用いたものがある。しかし、端材を用いているため幅広のものが得られにくいばかりか、丸太の表面側を用いていることから節などの表面欠陥が比較的多いものとなっていた。
【０００４】
このような表面欠陥の多い木材を有効活用することが望まれていた。
【０００５】
また、従来の板材として、大径樹木から切り出した比較的大型の無垢材や、複数の薄板材を接着して形成した合板などの他、下記特許文献１に記載されたような集成材が知られている。
【先行技術文献】
【特許文献】
【０００６】
【特許文献１】実登第３１５６２１４号公報
【発明の概要】
【発明が解決しようとする課題】
【０００７】
本発明は、前述の事柄に留意してなされたものであって、表面欠陥の比較的多い木材を有効活用した集成材、集成材の製造方法、および集成材を用いた家具に関するものである。
【課題を解決するための手段】
【０００８】
上記課題を解決するために、本発明の集成材は、複数個の長尺状木片からなり隣り合う長尺状木片同士が接着されている集成材であって、各長尺状木片は、欠陥を有しない側面又は各長尺状木片における最も欠陥が少ない側面が略同一平面上に揃って集成材の表面を構成するように配置されており、集成材の裏面には、隠蔽性のある塗膜が形成されている構成とした。
ここで、欠陥は、目視確認することができる「節」と「割れ」を指す。また、長尺状木片の側面は、長尺状木片の長手方向に沿った面であり、例えば、長尺状木片が長尺状の角材であれば、長手方向に沿った四面それぞれを指す。さらに、最も欠陥が少ない側面は、欠陥部分の面積の総和が最も小さい側面を指す。
【０００９】
この集成材は、表面に欠陥を有しないか、有しているとしても少ないものであり、表面欠陥の比較的多い木材を加工などして得られる木片を用いた場合であっても、表面欠陥が少ないものとなる。
また、上記集成材の裏面は表面と異なり、比較的多くの欠陥を有していることが多いと考えられるが、この裏面に隠蔽性のある塗膜が形成されているため、裏面の欠陥が目立ちにくい。
【００１０】
集成材を構成する複数個の長尺状木片の全部又は一部が、集成材の表面を構成する側面以外の面に欠陥を有する構成とした。ここで、複数個の長尺状木片の全部が、集成材の表面を構成する側面以外の面に欠陥を有する構成とすることが好ましい。
【００１１】
表面欠陥の比較的多い木材を加工などして得られた木片は、通常、集成材の表面を構成する面以外の面に欠陥を有する。本集成材は、表面欠陥の比較的多い木材を加工などして得られる木片を用いながらも、表面欠陥が少ないものとなる。
【００１２】
表面以外の全ての面に隠蔽性のある塗膜が形成されている構成とすることができる。
【００１３】
この集成材は、例えば板状であれば、裏面のほかに端面にも塗膜が形成されており、裏面や端面の欠陥が目立ちにくい。
【００１４】
塗膜が機能性を有する構成とすることができる。
【００１５】
この集成材は、塗膜の機能に応じた様々な機能を有する。機能性を有する塗膜には、例えば、備長炭の粉末を含有する塗料（備長炭塗料）を塗布して得られた塗膜や、柿渋を含有する塗料（柿渋塗料）を塗布して得られた塗膜がある。
【００１６】
複数個の長尺状木片は、柾目が現れた柾目側面を有しており、各長尺状木片は、欠陥を有しない柾目側面又は各長尺状木片における最も欠陥が少ない柾目側面が略同一平面上に揃って集成材の表面を構成するように配置されている構成とすることもできる。柾目側面は、長尺状木片の長手方向に沿って柾目が現れた面とすることが好ましい。
【００１７】
この集成材は、表面が柾目面となるため、経時的に反りが生じにくい集成材となる。
端材を製材して得られる板材は表面が板目となるため、経時的にカップ状の反りが生じやすく、家具の扉など平滑性が要求される用途には使用しにくかった。しかし、上記集成材とすることで経時的な反りが生じにくくなり、平滑性が要求されるような用途にも用いることができる。
【００１８】
また、前記課題は、複数個の長尺状木片を準備する、木片準備工程と、この木片準備工程で準備された前記複数個の長尺状木片を、欠陥を有しない側面又は各長尺状木片における最も欠陥が少ない側面が略同一平面上に揃うように並べて表面を構成し、隣り合う長尺状木片同士を接着して連続木片を得る、接着工程と、この接着工程で得られた連続木片を加工して加工済み連続木片を得る、加工工程と、この加工工程で得られた加工済み連続木片の表面以外の面を隠蔽性のある塗料で塗装する、塗装工程と、を有する集成材の製造方法によっても解決される。
【００１９】
このとき、木片準備工程では、一対の柾目側面を有する複数個の長尺状木片を準備し、接着工程では、前記木片準備工程で得られた前記複数個の長尺状木片を、欠陥を有しない柾目側面又は各長尺状木片における欠陥が少ない方の柾目側面が略同一平面上に揃うように並べて表面を構成し、隣り合う長尺状木片同士を接着して集成材を得る、集成材の製造方法とすることができる。木片準備工程では、長手方向に沿って柾目が現れた一対の柾目側面を有する複数個の長尺状木片を準備することが好ましい。
【００２０】
加えて、前述した板材を用いた家具は、表面欠陥の比較的多い木材を有効活用したものとなる。
【発明の効果】
【００２１】
本発明により、表面欠陥の比較的多い木材を有効活用した集成材、この集成材の製造方法、およびこの集成材を用いた家具を提供することができる。
【図面の簡単な説明】
【００２２】
【図１】集成材を例示する分解斜視図である。
【図２】図１の集成材の斜視図である。
【図３】集成材の第一別例を示す分解斜視図である。
【図４】図３の集成材の斜視図である。
【図５】集成材の第二別例を示す斜視図である。
【図６】集成材の第三別例を示す斜視図である。
【図７】集成材の製造工程を例示した図である。
【発明を実施するための形態】
【００２３】
以下、図を用いて集成材などを例示説明する。集成材１は、複数個の長尺状木片２からなり隣り合う長尺状木片２同士が接着されている。そして、各長尺状木片２は、欠陥を有しない側面又は各長尺状木片における最も欠陥が少ない側面240が略同一平面上に揃って集成材１の表面11を構成するように配置されている。集成材１の裏面12には、隠蔽性のある塗膜３が形成されている。
以下、集成材の構成要素などについて例示説明するが、本発明およびその構成要素などは、以下の説明に限定されるものではない。
【００２４】
なお、図１および図２に例示する長尺状木片２には木目を付していない。また、図１〜図５においては、六個の長尺状木片のうち左端のもののみに符号を付してある。さらに、図１および図３においては、隠蔽性のある塗膜３を省略してある。加えて、図１〜４においては、欠陥29を黒塗り楕円で表示してある。
【００２５】
［集成材］
集成材１は、複数個の長尺状木片２からなる。具体的には、図１に例示するように、複数個（本例では六個）の長尺状木片２が平面状に配置されている。
長尺状木片２は、例えば、図１に例示するような長尺状の角材（長手方向と直交する断面が概ね矩形状）を用いることができる。
【００２６】
各長尺状木片２は、欠陥を有しない側面又は各長尺状木片における最も欠陥が少ない側面240が略同一平面上（本例では上面）に揃って集成材１の表面を構成するように配置される。欠陥を有しない側面又は各長尺状木片における最も欠陥が少ない側面240の木目は、例えば、柾目、板目、追柾などとすることができる。
【００２７】
なお、欠陥を有しない側面が複数面存在する場合には、いずれの側面も欠陥を有しない側面であるので、どの面を同一平面上（本例では上面）に揃える面としてもよい。また、欠陥を有しない側面が一面だけ存在する場合には、その側面のみが、欠陥を有しない側面である。
隣り合う長尺状木片２の相対する端面同士は接着される。
【００２８】
また、集成材１は加工されている。本例では、集成材１の表面11が研磨加工されるとともに、その上からクリア塗装が施されている（図示せず）。
【００２９】
さらに、集成材１の裏面12は隠蔽性のある塗膜３を有している。本例では、図２に例示するように、集成材１の裏面12にのみ黒色の塗膜が形成されている。隠蔽性のある塗膜３は機能性を有するものであることが好ましい。例えば、備長炭の粉末を含有する塗料（備長炭塗料）を塗布して得られた塗膜や、柿渋を含有する塗料（柿渋塗料）を塗布して得られた塗膜を形成することができる。
【００３０】
本例の集成材１は、例えば、収納家具や机などの家具全般に広く用いることができる。壁面家具の扉などには特に好適に用いることができる。
例えば、扉の表面側に集成材１の表面11（欠陥が殆ど存在しない）が位置するように構成する。開き戸の場合は、扉を開けると集成材の裏側を目にすることもありうるが、隠蔽性のある塗膜３が形成されているため裏側の欠陥が目立ちにくい。
【００３１】
［集成材（第一別例）］
図３および図４に例示する集成材の第一別例では、長尺状木片２が、長手方向に沿って柾目が現れた柾目の側面（柾目側面25）を一対有している。
そして、各長尺状木片２は、欠陥を有しない柾目側面又は各長尺状木片における最も欠陥が少ない柾目側面250が略同一平面上に揃って集成材１の表面を構成するように配置されている。集成材１の表面では各長尺状木片２の柾目の方向が揃っており意匠性が高い。
【００３２】
本例の集成材も、例えば、収納家具や机などの家具全般に広く用いることができる。
【００３３】
［集成材（第二別例）］
図５に例示する集成材の第二別例は、集成材の裏面12に加えて全ての端面14も、隠蔽性のある塗膜３を有しているものである。
【００３４】
本例の集成材も、例えば、収納家具や机などの家具全般に広く用いることができる。
【００３５】
［集成材（第三別例）］
図６に例示する集成材の第三別例は、後述する加工工程において上面視で円形に加工して得られた円形の集成材である。このような円形の集成材は、例えば、適宜大きさを変更すれば、椅子の天板や食卓の天板などに用いることができる。
【００３６】
［集成材の製造方法］
上記集成材を製造する方法を図７を用いて例示説明する。集成材の製造方法は木片準備工程S1、接着工程S2、加工工程S3、および塗装工程S4からなる。
【００３７】
１．木片準備工程
木片準備工程S1は、複数個の長尺状木片を準備する工程である。
【００３８】
ここで、木片準備工程S1として、図３に例示した長尺状木片２のような長手方向に沿って柾目が現れた一対の柾目側面を有する複数個の長尺状木片を準備する工程としてもよい。
このような長尺状木片２は、例えば、上面及び下面が板目の板材を、板目方向（板目が並ぶ方向）と直行する方向に概ね同一幅で小割切断することで得られる。一対の切断面（図３では上下一対の切断面）には柾目が現れる。
例えば、柱の端材からとれる１２ｍｍ厚の低コスト板材を用いて、これを板目方向と直行する方向に概ね同一幅（例えば１０〜５０ｍｍの範囲）で小割切断して複数個の長尺状木片２を得ることができる。
【００３９】
２．接着工程
接着工程S2は、複数個の長尺状木片２（木片準備工程S1で得られたもの）を、欠陥を有しない側面又は各長尺状木片における最も欠陥が少ない側面240が略同一平面上に揃うように並べて表面11を構成し、隣り合う長尺状木片２同士を接着して連続木片を得る工程である。
【００４０】
木片準備工程S1において、長手方向に沿って柾目が現れた一対の柾目側面を有する複数個の長尺状木片２を準備した場合には、複数個の長尺状木片２を、欠陥を有しない柾目側面又は各長尺状木片における欠陥が少ない方の柾目側面250が略同一平面上に揃うように並べて表面を構成し、隣り合う長尺状木片２同士を接着して集成材を得る工程となる。
板目の板材を板目方向と直行する方向に沿って切断すると、通常、左右の切断面は柾目（柾目側面）となる。そして、例えば左右の切断面のうち欠陥が少ない方の柾目側面が上方を向くように長尺状木片を９０度回転させ、欠陥が少ない方の柾目側面が略同一平面上に揃うように長尺状木片２を並べて表面を構成し、隣り合う長尺状木片２同士を接着して集成材１を得ることができる。
【００４１】
隣り合う長尺状木片２同士を接着する方法は特に限定されない。例えば、長尺状木片２の左右に接着剤を塗布した後、長尺状木片２を並べてコ−ルドプレスで接着することができる。
【００４２】
３．加工工程
加工工程S3は、接着工程S2で得られた連続木片を加工して加工済み連続木片を得る工程である。加工工程S3としては、例えば、連続木片の表面を研磨する平滑加工や、所望の形状に加工する成形加工などを行うことができる。
図６に例示する集成材１は、加工工程において上面視で円状に加工されたものである。このとき、下面を、下面中央部に向かって徐々に下方に突出するような凹状に加工してもよい。
【００４３】
４．塗装工程
塗装工程S4は、加工工程S3で得られた加工済み連続木片の表面以外の面を隠蔽性のある塗料で塗装する工程である。用いる塗料には隠蔽性が必要である。下地が殆ど透けて見える、いわゆる透明クリアなどは隠蔽性のある塗料ではない。塗料の色調としては、隠蔽性があれば特に制限されないが、黒や灰色など隠蔽性の強いものが好ましい。
塗装工程S4では、例えば、裏面のみを塗装したり、裏面と端面を塗装したりすることができる。塗装工程S4を経て集成材が完成する。
【００４４】
以上、特定の実施形態を参照して本発明を例示説明したが、本発明は上記実施形態に限定されるものではなく、当該技術分野における熟練者等により、本出願の願書に添付された特許請求の範囲から逸脱することなく、種々の変更及び修正が可能である。
【符号の説明】
【００４５】
１  集成材
11  表面
12  裏面
14  端面
２  長尺状木片
24側面
240  欠陥を有しない側面又は各長尺状木片における最も欠陥が少ない側面
25柾目側面
250  欠陥を有しない柾目側面又は各長尺状木片における最も欠陥が少ない柾目側面
29 欠陥
３  隠蔽性のある塗膜
S1  木片準備工程
S2  接着工程
S3  加工工程
S4  塗装工程
【図１】
2017087515.tif 000003
【図２】
2017087515.tif 000004
【図３】
2017087515.tif 000005
【図４】
2017087515.tif 000006
【図５】
2017087515.tif 000007
【図６】
2017087515.tif 000008
【図７】
2017087515.tif 000009